(57)【要約】【課題】半導体ベースのＰＥＴにおいて、チャンネル計数を削減することができるデータ取得装置、対消滅ガンマ線検出器及び対消滅ガンマ線検出方法を提供すること。【解決手段】実施形態によれば、加算チャンネルは、アレイ状のセンサーからの信号を加算しデジタル化してタイミングおよびエネルギーの情報を抽出する。遅延加算チャンネルは、各センサーに関して既知の遅延を導入し、センサーに対する時間署名を作成する個別の遅延線を含み、その後に、遅延された信号を加算する加算回路が続く。遅延加算チャンネルは、高速計数器を使ってデジタル化され、位置情報を抽出する。計数器の開始および停止の信号は、加算チャンネル出力および遅延加算チャンネル出力が、それぞれパルスＩＤ閾値を超えた場合に、出力される。パルスＩＤ閾値は、コンプトン散乱を最小にして光ピークイベントを取り出さないように選択される。【選択図】図５
2014021123.tif 000002
【特許請求の範囲】
【請求項１】
対消滅ガンマ線検出器のためのデータ取得装置であって、
対消滅イベントによって生成された入射ガンマ線に応じて相互作用して光を生成するシンチレータのアレイであるシンチレータアレイに連結され、前記光を受信して複数の電気信号に変換する複数のセンサーから、前記複数の電気信号を受信して加算することで第１の信号を生成する加算回路と、
前記複数の電気信号を選択的に遅延させて加算することで第２の信号を生成する遅延加算回路と、
前記第１の信号を受信して、前記第１の信号のエネルギーおよびイベント時間を決定する第１の回路と、
前記第１の信号および前記第２の信号を受信して、前記第１の信号が所定の閾値を超えた場合に、前記複数のセンサーのうちのどのセンサーが前記相互作用のシンチレータの位置に対応しているかを決定する第２の回路と、
を備えたことを特徴とする、データ取得装置。
【請求項２】
前記遅延加算回路は、前記第２の信号が異なる長さの時間によって遅延された前記複数の電気信号のうちの各信号の合計となるように、少なくとも１つの加算器および少なくとも１つの遅延要素を備えたことを特徴とする、請求項１に記載のデータ取得装置。
【請求項３】
前記複数のセンサーは、センサーの比較的大きいアレイ内でセンサーの行、列、またはブロックを形成することを特徴とする、請求項１又は２に記載のデータ取得装置。
【請求項４】
前記第２の回路は、
前記所定の閾値を生成するパルスＩＤ閾値発生器と、
前記第１の信号を前記所定の閾値と比較して、前記第１の信号が前記所定の閾値を超えた場合に、開始信号を生成する第１のコンパレータと、
前記第２の信号を前記所定の閾値と比較して、前記第２の信号が前記所定の閾値を超えた場合に、停止信号を生成する第２のコンパレータと、
前記開始信号および停止信号を受信し、前記開始信号の受信に応じて計数を開始し、前記停止信号の受信に応じて計数を停止する計数器と、
を備えたことを特徴とする、請求項１〜３のいずれか１つに記載のデータ取得装置。
【請求項５】
前記第１の信号を前置増幅して整形する第１の前置増幅器／整形器回路と、
前記第２の信号を前置増幅して整形する第２の前置増幅器／整形器回路と、
をさらに備えたことを特徴とする、請求項１〜４のいずれか１つに記載のデータ取得装置。
【請求項６】
前記第１の回路は、前記第１の信号をデジタル化するアナログ／デジタル変換器を備えたことを特徴とする、請求項１〜５のいずれか１つに記載のデータ取得装置。
【請求項７】
前記パルスＩＤ閾値発生器は、デジタル／アナログ変換器を備えたことを特徴とする、請求項４に記載のデータ取得装置。
【請求項８】
前記複数のセンサーに含まれる各センサーは、前記シンチレータアレイ内の各シンチレータと実質的に同じサイズであり、前記各センサーは、対応するシンチレータを覆うようになることを特徴とする、請求項１〜７のいずれか１つに記載のデータ取得装置。
【請求項９】
対消滅ガンマ線検出器であって、
シンチレータアレイと、
センサーアレイと、
複数のデータ取得装置とを含み、
前記複数のデータ取得装置それぞれは、
対消滅イベントによって生成された入射ガンマ線に応じて相互作用して光を生成するシンチレータのアレイであるシンチレータアレイに連結され、前記光を受信して複数の電気信号に変換する複数のセンサーから、前記複数の電気信号を受信して加算することで第１の信号を生成する加算回路と、
前記複数の電気信号を選択的に遅延させて加算することで第２の信号を生成する遅延加算回路と、
前記第１の信号を受信して、前記第１の信号のエネルギーおよびイベント時間を決定する第１の回路と、
前記第１の信号および前記第２の信号を受信して、前記第１の信号が所定の閾値を超えた場合に、前記複数のセンサーのうちのどのセンサーが前記相互作用のシンチレータの位置に対応しているかを決定する第２の回路と、
を備えたことを特徴とする、対消滅ガンマ線検出器。
【請求項１０】
前記遅延加算回路は、前記第２の信号が異なる長さの時間によって遅延された前記複数の電気信号のうちの各信号の合計となるように、少なくとも１つの加算器および少なくとも１つの遅延要素を備えたことを特徴とする、請求項９に記載の対消滅ガンマ線検出器。
【請求項１１】
前記複数のセンサーは、センサーの比較的大きいアレイ内でセンサーの行、列、またはブロックを形成することを特徴とする、請求項９又は１０に記載の対消滅ガンマ線検出器。
【請求項１２】
前記第２の回路は、
前記所定の閾値を生成するパルスＩＤ閾値発生器と、
前記第１の信号を前記所定の閾値と比較して、前記第１の信号が前記所定の閾値を超えた場合に、開始信号を生成する第１のコンパレータと、
前記第２の信号を前記所定の閾値と比較して、前記第２の信号が前記所定の閾値を超えた場合に、停止信号を生成する第２のコンパレータと、
前記開始および停止の信号を受信し、前記開始信号の受信に応じて計数を開始し、前記停止信号の受信に応じて計数を停止する計数器と、
を備えたことを特徴とする、請求項９〜１１のいずれか１つに記載の対消滅ガンマ線検出器。
【請求項１３】
前記第１の信号を前置増幅して整形する第１の前置増幅器／整形器回路と、
前記第２の信号を前置増幅して整形する第２の前置増幅器／整形器回路と、
をさらに備えたことを特徴とする、請求項９〜１２のいずれか１つに記載の対消滅ガンマ線検出器。
【請求項１４】
前記第１の回路は、前記第１の信号をデジタル化するアナログ／デジタル変換器を含むことを特徴とする、請求項９〜１３のいずれか１つに記載の対消滅ガンマ線検出器。
【請求項１５】
前記パルスＩＤ閾値発生器は、デジタル／アナログ変換器を備えたことを特徴とする、請求項１２に記載の対消滅ガンマ線検出器。
【請求項１６】
前記複数のセンサーに含まれる各センサーは、前記シンチレータアレイ内の各シンチレータと実質的に同じサイズであり、前記各センサーは、対応するシンチレータを覆うようになることを特徴とする、請求項９〜１５のいずれか１つに記載の対消滅ガンマ線検出器。
【請求項１７】
対消滅ガンマ線検出方法であって、
対消滅イベントによって生成された入射ガンマ線に応じて相互作用して光を生成するシンチレータのアレイであるシンチレータアレイに連結され、前記光を受信して複数の電気信号に変換する複数のセンサーから、前記複数の電気信号を受信して加算することで第１の信号を生成するステップと、
前記複数の電気信号を選択的に遅延させて加算することで第２の信号を生成するステップと、
前記第１の信号のエネルギーおよびイベント時間を決定するステップと、
前記第１の信号が所定の閾値を超えた場合に、前記複数のセンサーのうちのどのセンサーが前記相互作用したシンチレータの位置に対応するかを、前記第２の信号に基づいて決定するステップと、
を含んだことを特徴とする、対消滅ガンマ線検出方法。
【請求項１８】
前記複数のセンサーは、センサーの比較的大きいアレイ内でセンサーの行、列、またはブロックを形成することを特徴とする、請求項１７に記載の対消滅ガンマ線検出方法。
【請求項１９】
前記所定の閾値を生成するステップと、
前記第１の信号を前記所定の閾値と比較するステップと、
前記第１の信号が前記所定の閾値を超えた場合に、開始信号を生成するステップと、
前記第２の信号を前記所定の閾値と比較するステップと、
前記第２の信号が前記所定の閾値を超えた場合に、停止信号を生成するステップと、
前記開始信号の前記発生に応じて計数を開始するステップと、
前記停止信号の前記発生に応じて計数を停止するステップと、
をさらに含んだことを特徴とする、請求項１７又は１８に記載の対消滅ガンマ線検出方法。
【請求項２０】
前記第１の信号および前記第２の信号を前置増幅するステップおよび整形するステップをさらに含んだことを特徴とする、請求項１７〜１９のいずれか１つに記載の対消滅ガンマ線検出方法。
【請求項２１】
アナログ／デジタル変換器を使って前記第１の信号をデジタル化するステップをさらに含んだことを特徴とする、請求項１７〜２０のいずれか１つに記載の対消滅ガンマ線検出方法。
【請求項２２】
前記複数のセンサーに含まれる各センサーは、前記シンチレータアレイ内の各シンチレータと実質的に同じサイズであり、前記各センサーは、対応するシンチレータを覆うようになることを特徴とする、請求項１７〜２１のいずれか１つに記載の対消滅ガンマ線検出方法。
【発明の詳細な説明】
【技術分野】
【０００１】
本開示は、概してポジトロン放射断層撮影（Ｐｏｓｉｔｒｏｎ  Ｅｍｉｓｓｉｏｎ  Ｔｏｍｏｇｒａｐｈｙ：ＰＥＴ）においてチャンネル計数を削減する装置および方法に関する。より詳細には、本開示は、光検出器からの読み出しをデータ束ねすることによって、半導体ベースのポジトロン放射断層撮影（Ｐｏｓｉｔｒｏｎ  Ｅｍｉｓｓｉｏｎ  Ｔｏｍｏｇｒａｐｈｙ：ＰＥＴ）においてチャンネル計数を削減する装置および方法に関する。
【背景技術】
【０００２】
ＰＥＴイメージングは、被検体への放射性医薬品の投与（ほとんどは注入であるが、吸入および摂取も含めて）から始まり、やがて、薬剤の物理的および生体分子的特性は、人体内の特定部位に集積する。実際の空間分布、集積の点または領域の強度、および投与から捕捉まで最終的には排出までの処理の動態は、すべて臨床的な重要性を持ち得る因子である。この処理中、医薬品に付着したポジトロン放射体は、同位元素（半減期、分岐比）の物理的性質に応じてポジトロンを放射する。各ポジトロンは、いずれ被検体の電子と相互作用して対消滅し、大抵の場合、互いから実質的に１８０度方向に５１１ｋｅＶの２つの対消滅ガンマ線を生成する。それらの２つの対消滅ガンマ線は、その後に光検出器および処理エレクトロニクスが続くシンチレータによって早急に検出される。
【０００３】
検出された一対の対消滅ガンマ線の位置の間に線を引くと、応答線（Ｌｉｎｅ−ｏｆ−Ｒｅｓｐｏｎｓｅ：ＬｏＲ）とも呼ばれ、本来の対消滅イベントの発生したであろう位置を割り出すことができる。この処理は、対消滅イベントが発生した線を識別するだけであるが、これらの線を多数蓄積することによって、断層撮影再構成処理を通して、ポジトロン放出核種の本来の分布を推定できる。
【０００４】
２つのシンチレーションイベントの位置に加えて、正確なタイミング（数百ピコ秒以内）が利用できる場合、対消滅ガンマ線が、その本来の点から検出器エレクトロニクスまで移動するのにかかった時間を正確に計算できる。この時間（飛行時間（Ｔｉｍｅ−ｏｆ−Ｆｌｉｇｈｔ：ＴｏＦ）と呼ばれる）によって、本来の対消滅イベントの発生したであろう位置、すなわち、線に沿った対消滅位置に関するより多くの情報が得られる。スキャナのタイミング分解能の限界によって、この線に沿った位置決めの精度が決定される。本来のシンチレーションイベントの位置決定の限界によって、スキャナの最終的な空間的分解能が決定される一方で、同位元素の固有の特性（ポジトロンのエネルギー）もまた、２つの対消滅ガンマ線のポジトロンレンジおよび共直線性によって、特定の薬剤に対する空間的分解能の決定に寄与する。
【０００５】
上記の計算を多数のイベントに対して反復する必要がある。イメージング作業を支援するためには、すべてのケースで、どのくらい多くの計数（イベント対）が必要であるかを決定するために分析が必要であるが、現在の慣習では、典型的な１００ｃｍ長のＦＤＧ（フッ化デオキシグルコース）の研究では数億の計数を蓄積しなければならないと規定している。この計数を蓄積するのに要する時間は、注入される放射線量、およびスキャナの感度および計数性能によって決定される。
【０００６】
スキャナの計数性能は、主に２つの要因で決定される。第１に、シンチレータの減衰時間は、センサーが占有される時間を決定する。この時間は、削減できないパラメータであり、シンチレータの性質に固有である。シンチレーション光が発生して集積されるために要する時間は、イベント処理のための最小限の時間を決定する。仮に別のイベントが、この時間周期の間に起こった場合、２回目のイベントからの光は、イベントの推定を、タイミング、エネルギー、および位置の推定を無効にする点へ偏らせる。したがって、両方のイベントは、破棄される必要があるかもしれない。
【０００７】
計数率に影響する第２の変量は、トリガゾーンとも呼ばれるが、イベント中に「影響される」または「占有される」スキャナの総表面の分画である。２回目のイベントが、異なる位置のトリガゾーンの外側で起こり、エレクトロニクスチャンネルの異なるセットが使われる場合、２回目のイベントは、最初のイベントの処理中のどの時点においても発生し得る。したがって、トリガゾーンおよび集積時間の概念は、スキャナの計数率性能を決定する際に重要である。
【０００８】
したがって、計数率を最大にするために、非常に小さなトリガゾーンをつくる要望が存在する。しかし、この要望は、より小さな検出器領域が、またエレクトロニクスチャンネルの数を増加させ、さらにその結果として、システム全体のコストを上げるという事実によって即座に反対される。
【０００９】
従来の取り組みでは、チャンネルの数があまりに高すぎて、別々の構成要素を用いた信号処理エレクトロニクスを実行できない場合、一般的には、チャンネルのデータ束ねを実行している。例えば、典型的な最新のＰＥＴスキャナは、スキャナ全体で数百のセンサーしか利用しておらず、かかる場合、処理エレクトロニクスチャンネルに対するセンサーの１対１の結合は、明らかに入手可能である。
【００１０】
別のタイプのセンサー、例えば、多重アノード光電子増倍管（Ｐｈｏｔｏ−Ｍｕｌｔｉｐｌｉｅｒ  Ｔｕｂｅｓ：ＰＭＴ）、フォトダイオード、アバランシェフォトダイオード（Ａｖａｌａｎｃｈｅ  Ｐｈｏｔｏｄｉｏｄｅｓ：ＡＰＤ）、またはより最近の半導体光電子増倍管（ＳｉＰＭ（Ｓｉｌｉｃｏｎ  Ｐｈｏｔｏｍｕｌｔｉｐｌｉｅｒｓ：シリコン光電子倍増管）、ＳＳＰＭ（Ｓｏｌｉｄ  Ｓｔａｔｅ  Ｐｈｏｔｏｍｕｌｔｉｐｌｉｅｒｓ：半導体光電子倍増管）、ＭＰＰＣ（Ｍｕｌｔｉ  Ｐｉｘｅｌ  Ｐｈｏｔｏｎ  Ｃｏｕｎｔｅｒ：マルチピクセル光子計数器）その他）を使用すると、通常、数千または何万ものセンサーを結果として得ることができる。この場合、チャンネル計数を最適化する試みが明らかに必要とされる。２つのそのようなチャンネル計数削減技術は、図１および２に示すように、それぞれ、コドラント（重心演算法）による、又は、行および列による加算回路を使うことである。
【００１１】
図１は、コドラントによる重心演算法の変化を示す図であり、ここで、ビスマスゲルマニウムオキサイド（Ｂｉｓｍｕｔｈ  Ｇｅｒｍａｎｉｕｍ  Ｏｘｉｄｅ：ＢＧＯ）のシンチレータのブロックは、ＳｉＰＭ  １０３の２×２のマトリックスを合計することによって作られる４つのコドラント１０１によって読み出されるものである。重心演算法は、これらのコドラントの出力に適用され、位置、エネルギー、およびタイミングを推定できる。
【００１２】
図２は、行方向および列方向の加算Σチャンネルを使った従来の行列読み出しを示す図である。１６台のセンサー２０１（またはセンサーセル）からなる４×４のマトリックスであるこの例の場合、４行および４列は、配列においてイベントの位置を適切に識別できる。この取り組みでは、チャンネル計数が１６である、センサーごとの専用のエレクトロニクスチャンネルに比べて８つのエレクトロニクスチャンネルしか使われていない。配列が大きいほど、チャンネル計数削減をより多くすることが、この取り組みによって達成される。例えば、Ｎが各行および列のセンサー数である正方形の配列の場合、Ｎ×Ｎと２Ｎとの差は、著しくなる。
【００１３】
この取り組みに関する１つの問題は、信号がガンマ相互作用の場合、（第１のシンチレータ内のコンプトン散乱を通して）複数のシンチレータから複数の加算回路に分割されることである。この状況は、一般的である。２０ｍｍ厚のＬＹＳ０（Ｃｅｒｉｕｍ  ｄｏｐｅｄ  Ｌｕｔｅｔｉｕｍ  Ｙｔｔｒｉｕｍ  Ｏｒｔｈｏｓｉｌｉｃａｔｅ：ケイ酸ルテチウムイットリウム）と４×４ｍｍ２のシンチレータとによる典型的なＰＥＴスキャナ構造では、すべての相互作用のうちのわずか７８％が、単一のシンチレータに影響を及ぼし、イベントの残りの２２％は、少なくとも２つの隣接するシンチレータで光を生成する。この割合は、シンチレータのサイズおよび厚みの実際の設計によって異なるが、対処される必要がある重大な問題を残している。
【００１４】
これらの複数の相互作用イベントの大部分は、対象のシンチレータを中心にして、対象のシンチレータを含む９つのシンチレータからなるであろうマトリックスを作る対象のシンチレータの周りの最初の列に影響を及ぼす。部分的なエネルギー堆積が、中心のシンチレータの左または右で起きた場合、水平線が影響を受けた２台のセンサーの合計を捕捉する。部分的なエネルギー堆積が、中心のシンチレータの上部または下部で起きた場合、垂直線が影響を受けた２台のセンサーの合計を捕捉する。しかしながら、任意の斜めの相互作用は、信号を複数の加算線の上に分布する。
【００１５】
この取り組みの総合的な効果を得るためには、システムが、加算された信号に関して水平線と垂直線との両方を分析して、タイミングピックオフのためにはどちらの線が最良の信号を含んでいるかを見つける必要がある。さらに、斜めの相互作用の場合は、最良の信号が劣化されるので、良好なタイミング推定の能力が限定される。
【先行技術文献】
【特許文献】
【００１６】
【特許文献１】特開２００７−４１００７
【発明の概要】
【発明が解決しようとする課題】
【００１７】
本発明が解決しようとする課題は、半導体ベースのＰＥＴにおいて、チャンネル計数を削減することができるデータ取得装置、対消滅ガンマ線検出器及び対消滅ガンマ線検出方法を提供することである。
【課題を解決するための手段】
【００１８】
一実施形態によれば、データ取得装置は、対消滅ガンマ線検出器のためのデータ取得装置であって、加算回路と、遅延加算回路と、第１の回路と、第２の回路とを備える。加算回路は、対消滅イベントによって生成された入射ガンマ線に応じて相互作用して光を生成するシンチレータのアレイであるシンチレータアレイに連結され、前記光を受信して複数の電気信号に変換する複数のセンサーから、前記複数の電気信号を受信して加算することで第１の信号を生成する。遅延加算回路は、前記複数の電気信号を選択的に遅延させて加算することで第２の信号を生成する。第１の回路は、前記第１の信号を受信して、前記第１の信号のエネルギーおよびイベント時間を決定する。第２の回路は、前記第１の信号および前記第２の信号を受信して、前記第１の信号が所定の閾値を超えた場合に、前記複数のセンサーのうちのどのセンサーが前記相互作用のシンチレータの位置に対応しているかを決定する。
【図面の簡単な説明】
【００１９】
本明細書に記載の実施形態のより完全な認識とその付随する利点の多くは、添付の図面に関連して考察する場合に、以下の詳細な説明を参照することによって、よりよく理解されるので、容易に得られるであろう。
【図１】図１は、コドラントによる重心演算法の変形を表す図であり、ここで、ＢＧＯのブロックは、２×２  ＳｉＰＭを加算することにより作り出される４コドラントによって読み出されるものである。
【図２】図２は、行方向および列方向の加算（Σ）チャンネルを使った従来の行列読み出しを表す図である。
【図３】図３は、４台のセンサーのアレイに対するΣおよびΣΔのチャンネル多重化の概略図である。
【図４Ａ】図４Ａは、４台のセンサーのアレイに対する、選択的に遅延される前後のセンサー出力を表す図である。
【図４Ｂ】図４Ｂは、４台のセンサーのアレイに対する、選択的に遅延される前後のセンサー出力を表す図である。
【図５】図５は、ΣおよびΣΔのチャンネルのブロック図である。
【図６】図６は、ΣおよびΣΔのチャンネルのタイミング図である。
【図７】図７は、光子到着時間を決定するために使用されるＢＧ０シンチレータのための強度関数を表す図である。
【図８Ａ】図８Ａは、不均一ポアソン過程がとる典型的な経路の実例を表す到着時間を示す図である。
【図８Ｂ】図８Ｂは、重ね合せモデルを用いたＢＧＯ−ＰＭＴセットアップの典型的な電流パルス出力の実例を表す到着時間を示す図である。
【図９】図９は、ΣΔ配列の研究に用いられるシミュレーションセットアップのフロー図である。
【図１０Ａ】図１０Ａは、ΣΔモンテカルロシミュレーションの結果を示す図である。
【図１０Ｂ】図１０Ｂは、ΣΔモンテカルロシミュレーションの結果を示す図である。
【図１０Ｃ】図１０Ｃは、ΣΔモンテカルロシミュレーションの結果を示す図である。
【図１０Ｄ】図１０Ｄは、ΣΔモンテカルロシミュレーションの結果を示す図である。
【図１１】図１１は、ガンマ線検出器のデータ取得方法のためのフロー図である。
【図１２】図１２は、ガンマ線検出器のブロック図である。
【発明を実施するための形態】
【００２０】
以下、本願に係る実施形態の詳細について説明する。本願においては、上述したように、半導体ベースのＰＥＴにおいて、チャンネル計数を削減することができるデータ取得装置、対消滅ガンマ線検出器及び対消滅ガンマ線検出方法を提供する。具体的には、本願においては、チャンネル計数を削減すると同時に、より小さなトリガゾーンの使用と、非常に高い計数率能力およびより高い位置決め精度とを可能にするための方法を記述する。開示される実施形態は、より大きなチャンネル計数の削減と同時に、タイミングおよびエネルギーの推定に専用の回路の一部分とアレイに位置決めする回路の別の部分を有することにより最適なシステム設計を提供する。
【００２１】
そこで、本願に係る第１の実施形態によれば、ガンマ線検出器のためのデータ取得デバイスが提供される。該データ取得デバイスは、シンチレータアレイに連結された対応する複数のセンサーからの複数の電気信号を加算して第１の信号を生成するように構成された加算回路と、受信された光を複数の電気信号に変換する複数のセンサーと、ここで、光は、対消滅イベントによって生成された入射ガンマ線に応じて相互作用するシンチレータによって生成されるものであり、複数の電気信号を選択的に遅延させて加算し、第２の信号を生成するように構成された遅延加算回路と、第１の信号を受信して、第１の信号のエネルギーおよびイベント時間を決定するように構成された第１の回路と、第１の信号および第２の信号を受信して、第１の信号が、所定の閾値を超えた場合に、複数のセンサーのうちのどのセンサーが、相互作用したシンチレータの位置に対応するかを決定するように構成された第２の回路とを含む。
【００２２】
また、第２の実施形態によると、シンチレータのアレイ、センサーのアレイ、および複数のデータ取得装置を含む対消滅ガンマ線検出器が提供される。各データ取得装置は、シンチレータアレイに連結された対応する複数のセンサーからの複数の電気信号を加算して第１の信号を生成するように構成された加算回路と、ここで、複数のセンサーは、受信された光を複数の電気信号に変換するものであり、光は、対消滅イベントによって生成された入射ガンマ線に応じて相互作用するシンチレータによって生成されるものであり、複数の電気信号を選択的に遅延させて加算し、第２の信号を生成するように構成された遅延加算回路と、第１の信号を受信して、第１の信号のエネルギーおよびイベント時間を決定するように構成された第１の回路と、第１の信号および第２の信号を受信して、第１の信号が、所定の閾値を超えた場合に、複数のセンサーのうちのどのセンサーが、相互作用したシンチレータの位置に対応するかを決定するように構成された第２の回路とを含む。
【００２３】
また、第３の実施形態によると、対消滅ガンマ線検出方法が提供される。対消滅ガンマ線検出方法は、シンチレータのアレイに連結された対応する複数のセンサーからの複数の電気信号を加算することによって第１の信号を生成するステップと、ここで、複数のセンサーは、受信された光を複数の電気信号に変換するものであり、光は、消滅イベントによって生成される入射ガンマ線に応じて相互作用するシンチレータによって生成されるものであり、複数の電気信号を選択的に遅延させて加算することによって第２の信号を生成するステップと、第１の信号のエネルギーおよびイベント時間を決定するステップと、第１の信号が、所定の閾値を超えた場合に、複数のセンサーのうちのどのセンサーが、相互作用したシンチレータの位置に対応するかを、第２の信号に基づいて決定するステップとを含む。
【００２４】
ここで、図面においては、類似の参照番号が、いくつかの図を通して同一のまたは対応する部分を示す。図３は、センサー３０１のアレイを使った一実施形態を示す図である。例示の４台のセンサーは、アレイの行、列、または面積を表す。この例では、４台のセンサーが示されているが、任意の数のセンサーを使用できる。ΣΔ取り組みの概念は、以下の方式で２つのチャンネルを作ることである。第１のチャンネルは、Σチャンネルと呼ばれる。該Σチャンネルは、行（または列）に沿ってすべてのセンサー３０１からの信号を加算する加算回路３０３の出力であり、したがって、エネルギー推定およびタイミングピックオフのための最適信号を作り出す。第２のチャンネルは、ΣΔと呼ばれる。該ΣΔチャンネルは、各センサー３０１に対して既知の遅延要素Δ３０５を挿入することによって作り出され、その結果、イベントの位置に対する時間署名を作り出し、次に、加算回路３０３を使って遅延された信号を加算する。
【００２５】
図４Ａおよび４Ｂは、それぞれ遅延される前後の４つのセンサー信号の例を示す図である。この例では、異なるセンサー信号に導入された異なる遅延時間は、所定の遅延時間Δの整数倍である。
【００２６】
図５は、ΣおよびΣΔのチャンネルのブロック図である。ΣおよびΣΔの各チャンネルは、対応する前置増幅器および整形回路５０１によって調整され、その出力は、対応するコンパレータ５０５のプラス側入力に接続される。コンパレータ５０５のマイナス側入力は、パルスＩＤ（Ｉｄｅｎｔｉｆｉｃａｔｉｏｎ：識別）閾値ＤＡＣ（Ｄｉｇｉｔａｌ−ｔｏ−Ａｎａｌｏｇ  Ｃｏｎｖｅｒｔｅｒ：デジタル／アナログ変換器）５０３の出力に接続される。ΣおよびΣΔのチャンネルに対応するコンパレータ５０５の出力は、それぞれ、高速計数器５０９への「開始」および「停止」の信号を出力する。
【００２７】
Σチャンネルに対応する前置増幅器および整形回路５０１の出力信号は、ＡＤＣ（Ａｎａｌｏｇ−ｔｏ−Ｄｉｇｉｔａｌ  Ｃｏｎｖｅｒｔｅｒ：アナログデジタル変換）回路５０７にさらに接続され、信号をデジタル化してタイミングおよびエネルギーを抽出する。
【００２８】
ΣΔチャンネルは、高速計数器５０９でデジタル化され、位置情報を抽出する。（それと比べて、行／列論理の場合、１６のチャンネルは、アナログ／デジタル変換器（ＡＤＣ）を使って直接デジタル化され、コンパレータおよびＤＡＣは必要とされない。これにより、ＡＤＣの数は２倍必要となり、その結果、電力消費は２倍になる。）
【００２９】
Σチャンネル出力が、パルスＩＤ閾値を超えた場合に、開始信号が生成される。ΣΔチャンネルでは、ＳｉＰＭｓからの信号は、Δの正確な時間遅延およびΣ加算回路を備えたいくつかの個別の遅延要素を通して伝播する。このチャンネルのパルス識別閾値は、停止信号を出力する。引き出された開始および停止の信号間の時間差は、検出器線に関する位置情報を提供する。遅延線によって導入される総遅延は、８つのＳｉＰＭｓを含む遅延連鎖に対して合計８０ｎｓより少ない。行／列および４倍のデータ束ねの取り組みと比較して、チャンネル当たりの電子不感時間はより大きいが、より小さな検出器占有のため、その全体的な影響は最小限である。
【００３０】
図６は、Σチャンネル、ΣΔチャンネル、およびコンパレータ出力のタイミング図である。この例の場合、ΣチャンネルおよびΣΔチャンネルは、それぞれ、４台の検出器からの出力信号の合計および遅延合計を出力する。この例では、４台の検出器からの出力信号は、異なる遅延量、すなわち、Δ、２Δ、３Δ、および４Δだけ遅延する。事前較正されたパルスＩＤ閾値が、ΣチャンネルおよびΣΔチャンネルの両方に適用され、それぞれ、開始信号および停止信号を抽出する。パルスＩＤ閾値は、停止信号が、４台の検出器の間で最も強い信号の遅延時間に対応するように選択される。この例では、最強信号は、３Δにより遅延される。その結果、開始および停止の信号間の時間差は、およそ３Δである。
【００３１】
ΣΔチャンネルのためのパルスＩＤ（Ｐｕｌｓｅ  Ｉｄｅｎｔｉｆｉｃａｔｉｏｎ：ＰＩＤ）閾値は、コンプトン散乱を最小にして光ピークイベントを取り出さないように注意深く選択する必要がある。測定中に観察されるエネルギー分解能に基づいて、コンプトン谷は、光ピークより低い３σERの周りに位置する。ただし、２．３４＊σERは、エネルギー分解能（１８％〜２５％測定された）である。エネルギー測定が粗く、完全なシンチレータパルスから統合された値を使わないので、この値にＰＩＤ閾値を置くと、コンプトン受理が若干大きくなる傾向がある。そのうえ、ＰＩＤコンパレータに存在するノイズは、閾値に制約を加える。コンプトン受理を最小にするためには、慎重なコンパレータ設計が使われる。コンパレータが、光子統計ノイズにより誘発されないために、コンパレータは、少なくとも２σPIDに等しい負のヒステリシスを使って設計される。ただし、２σPIDは、ＰＩＤコンパレータ入力におけるノイズである。エネルギー測定誤差σPIDは、次式（１）により与えられる。
【００３２】
【数１】
2014021123.tif 000003
【００３３】
【数２】
2014021123.tif 000004
【００３４】
ここで、式（１）に含まれるσphotonは光子統計ノイズであり、ｔPIDはＰＩＤ閾値を超える時間であり、σENCは電子ノイズである。ここで、式（２）におけるｑは電荷であり、Ｆは過剰ノイズ係数であり、Ｍは光検出器の利得であり、ωは前置増幅器および整形器の重み関数である。Ｉphotonは、ＢＧ０に対する強度関数であり、２重（或いは６０ｎｓ〜１０％及び３００ｎｓ〜９０％で３重）指数的減衰に近似できる。
【００３５】
パルス識別回路の目的は、最高エネルギーの相互作用点のシンチレータの位置を突き止めることである。タイミングは、開始信号を出力するタイミングコンパレータにタイミング閾値を印加することによって抽出される。最高エネルギーの相互作用点を見つけるために、ΣΔパルスが、コンパレータの１つの入力に印加され、コンパレータの第２の入力は、ＤＡＣを使ってパルスＩＤ閾値に設定される。コンパレータは、ΣΔパルスがパルス識別閾値を超えた場合に、停止信号を与えるステップを開始する。最適パルスＩＤ閾値は、コンプトン散乱を最小にするか拒絶して、光ピークイベントのみを受け入れるために、光ピークより下の（３σER＋３σPID）に置かれる必要がある（ただし、σERは、光ピーク分布の標準偏差である）。
【００３６】
ＢＧ０に対して１０６００光子／ＭｅＶの発生と２５％のエネルギー分解能とを仮定すると、ＰＩＤ閾値は、３６８０光子、又は、そのあたりに置かれる。９００ｎｓのピーキング時間を使うと仮定すると（不感時間とエネルギー分解能との間の妥協でこの数字は変動する）、ＰＩＤ閾値は、ほぼ６００ｎｓで超えられる。光子ノイズの寄与は、ＰＩＤコンパレータ閾値で約６０光子以下である。これは、光ピークイベントの１％に対応する。最適のＳＮＲ（Ｓｉｇｎａｌ−ｔｏ−Ｎｏｉｓｅ  Ｒａｔｉｏ：信号対ノイズ比）は、検出器の積分キャパシタに等しい積分キャパシタ、ＳＰＭ３５ＣＮデバイス静電容量（Ｃｄｅｔ）を使って得られる。ＰＩＤ閾値交差で信号の勾配を計算するためにこれらの値を使い、１０％のＰＤＥ（Ｐｈｏｔｏｎ  Ｄｅｔｅｃｔｉｏｎ  Ｅｆｆｉｃｉｅｎｃｙ：光子検出効率）および３．２×１０6の利得を使うと、光子統計ノイズは、σENC＝３．５ｍＶに対してσphoton＝５０ｍＶ  ＲＭＳ（Ｒｏｏｔ  Ｍｅａｎ  Ｓｑｕａｒｅ：実効値）である。
【００３７】
Δの値は、電子ノイズσENCより大きい少なくとも３σENCである。ΣΔがΣチャンネル内の信号の遅延加算バージョンであるとすれば、Δの値がより大きいと、光子統計ノイズの寄与を増加させることになり、さもなければ、相殺することになるので、より大きいΔの値は勧められない。ΣのＰＩＤ閾値交差における所与の検出器要素ｎからの開始信号への光子統計ノイズ寄与が、σPIDｎである場合、次に、ｎからの遅延信号からの停止信号への光子統計ノイズ寄与は、単純にσPIDｎ＋δｎである。開始／停止への全体的なノイズ寄与は、その結果、Δで変動するδｎとなる。したがって、δｎは、より大きい値のΔによって増加する。Δ→０の場合に、（停止／開始）内の光子統計ノイズ→０なので、Δがより大きくなるほど、ノイズ寄与はより大きくなる。位置情報は、停止および開始の間の差によって与えられる。位置情報の誤差は、非干渉性電子ノイズによって制限されるだけであり、光子統計によっては制限されない。また、より小さいΔの値は、電子ノイズσENCによって与えられる理論上の下限までであれば勧められる。
【００３８】
Δの適切な選択、慎重なコンパレータの設計、およびＰＩＤ閾値の較正により、この取り組みは、エネルギー分解能、パルス識別回路の精度、および高速計数周波数によってのみ制限される。システムが含むことができる遅延の総数、それによってデータ束ねできるアレイのサイズは、イベントを決定するために、エネルギー、タイミング、および位置情報が、一体となる必要があるので、大体イベント当たりの処理時間に依存する。４０ｎｓ以下の減衰時間をもつＬＹＳＯなどの速いシンチレータの符号化は、合理的な遅延量として１０ｎｓを仮定すると、４×１０ｎｓの個体遅延に限定されることになる。３００ｎｓの減衰時間をもつＢＧＯのような遅いシンチレータの同様の遅延連鎖では、３０台以上のセンサーの符号化が可能になる。８×８のマトリックスの場合、行／列の論理概念と比較して、この符号化には、選択された集積時間の上にさらに８０ｎｓの不感時間が必要となる。この不感時間は、本実施形態が提供するより小さい誘発ゾーン面積、およびチャンネル計数の削減に対する対価としては安価である。
【００３９】
ＢＧＯのタイミング分解能は、ＬＹＳＯより劣る。２つの異なるエネルギー区別閾値に対する第１の光電子タイミング誤差を図６に示す。このタイミング誤差の源は、光検出器の表面に到着した光子の非均一なポアソン特性である。ＢＧＯの場合、３００ｎｓ（９０％）の比較的長い時間尺度で引き伸ばされた比較的少数の発生光子によって、そのような変動が観察される。
【００４０】
タイミング測定のＲＭＳ誤差は、閾値ならびに光子収集に依存する。文献から、誤差は、所与の閾値に対して２ｎｓ〜７ｎｓの間にある。この誤差は、ＢＧＯシンチレータを使う同時入射タイミングウィンドウ２τに影響するはずであり、およそ２．８ｎｓ〜９．８ｎｓとなるであろう。
【００４１】
図７は、光子の到着時間を決定するために使用されるＢＧＯシンチレータのための強度関数を示した図である。この関数を得るために、ＢＧＯシンチレータ反応の２重減衰指数モデルによる不均一ポアソン過程のＭａｔｌａｂ（マトラボ）シミュレーションを用いた。
【００４２】
図８Ａおよび８Ｂは、それぞれ、不均一ポアソン過程によってとられた典型的な経路の図と、重ね合わせモデルを使ったＢＧＯ−ＳｉＰＭセットアップの典型的な電流パルス出力とを表した到着時間を示す図である。ＢＧＯ減衰モデルは、ＳｉＰＭ単一電子反応と、単独の一様分布されたＰＤＦから不規則に選ばれた利得値とによって畳み込み積分される。床面付近に見られるパルスは、単一光子反応の図である。
【００４３】
平均的ＳｉＰＭ反応によるＢＧＯスキャナに対する類似のシミュレーション研究を行った。図９のフロー図は、その研究のために使用したセットアップを要約したものである。平均１０６００光子／ＭｅＶで開始して、光子検出効率、エネルギーぼやけ、図８に示されるＢＧＯ反応強度関数、および光子の不均一ポアソン到達時間を反映するために、信号連鎖が、シミュレーションされている。次に、これらは、ＳｉＰＭ出力に近似する単一のＳｉＰＭセル応答で畳み込み積分される。１００の対消滅ガンマ線をシミュレーションするために、モンテカルロシミュレーションが実行される。不規則に選択された光ピークおよび低エネルギーイベントが、ΣΔ演算器への入力として使用される。ΣおよびΣΔのチャンネルの出力は、次に、２次前置増幅整形器のインパルス応答で畳み込み積分される。以前に記述したように、パルスＩＤ閾値は、コンプトン散乱が拒絶されるように置かれる。パルスは、前置増幅整形器出力が、ＰＩＤ閾値を超えた場合に、識別される。開始時間は、ΣチャンネルがＰＩＤ閾値を超えた場合に、得られる。同様に、ΣΔチャンネルが同じＰＩＤ閾値を超えた時点は、停止時間として標識付けられる。次に、ＰＩＤは、次式（３）によって与えられる。
【００４４】
【数３】
2014021123.tif 000005
【００４５】
光ピークおよび散乱の２５の異なる組み合わせに対するモンテカルロシミュレーションは、５つの異なる閾値で実行された。図１０Ａ〜１０Ｄは、これらのΣΔモンテカルロシミュレーションの結果を示す図である。各ケースで、光ピークパルスは、隣接する２つのコンプトンとともに位置３にあった。ＰＩＤ式は、誤差なしで毎回毎回パルスを識別できた。開始と停止の信号間の標準偏差は、予想通りに、１９ｎｓ〜２２ｎｓの範囲内にあった。また、上述の理論から予期されるように、開始〜停止の標準偏差は、１８０ｐｓ〜２６０ｐｓの範囲にわたる。Δ＝１０ｎｓの値は、図１０Ａ〜１０Ｄで見られるように、ＰＩＤ位置を首尾よく解読できた。
【００４６】
本明細書で開示した実施形態では、エレクトロニクスチャンネルの数の４つの削減要因を提供する。実施形態ではまた、従来の取り組みと比較して非常に小さな誘発ゾーンも提供する。そのような読み出し方式を備えたスキャナに対する計数率性能は、従来の取り組みより優れている。チャンネル計数削減は、重心演算法に等しい。シンチレータ間散乱は、シンチレーションイベントの位置決め不良を引き起こす。多シンチレータイベントを取り扱うためのΣΔの能力および限界は、従来の取り組みより良好である。まさにその設計によって、ΣΔは、最高のエネルギー位置決め方法を多シンチレータイベントの位置検出に適応させる。重み付けされたエネルギー位置決め方法を使う重心演算法と比較して、ΣΔ方法は、１０％またはそれ以上に良好な位置決め精度を提供する。この方法は、散乱閾値を識別するための較正方法を採用して、低エネルギー散乱を単純明快に拒絶することによって実行される。
【００４７】
本明細書で開示した実施形態では、個別の市販の構成要素を利用している。この方式の別の実施形態では、標準的な相補型金属酸化膜半導体（Ｃｏｍｐｌｅｍｅｎｔａｒｙ  Ｍｅｔａｌ−Ｏｘｉｄｅ  Ｓｅｍｉｃｏｎｄｕｃｔｏｒ：ＣＭＯＳ）技術で特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）を実装し、非常に小さな面積と低電力消費とを提供する。
【００４８】
本明細書で開示した実施形態では、非常に高い計数率性能で最大のチャンネル計数削減を提供し、したがって、より良好な費用構造を提供すると同時に、センサー応答の高忠実度を維持する。時として、考えられることは、従来の行列システムが８チャンネルを必要としたのに対して、２チャンネルシステムが、ΣおよびΣΔのチャンネルを創出するために行をデイジーチェーンすることによって、１６セルのセンサーマトリックスを利用できるということである。
【００４９】
図１１は、対消滅ガンマ線検出器内のデータ取得方法を示すフロー図である。フロー図は、ステップＳ１１０１、Ｓ１１０５、およびＳ１１０７を含む１つの処理と、ステップＳ１１０３、Ｓ１１０９、Ｓ１１１１、Ｓ１１１３、およびＳ１１１５を含むもう１つの処理とを含む。
【００５０】
ステップＳ１１０１では、シンチレータアレイに連結されたセンサーからの電気信号の加算信号が生成される。
【００５１】
ステップＳ１１０３では、各信号が異なる長さの時間だけ遅延されるように、これらの電気信号の遅延加算信号が生成される。
【００５２】
ステップＳ１１０５では、加算信号が、パルスＩＤ閾値と比較され、加算信号がパルスＩＤ閾値より大きい場合、Ｓ１１０７で、計数器が開始される。一方、加算信号がパルスＩＤ閾値より小さい場合、処理は、ステップＳ１１０１に戻る。
【００５３】
ステップＳ１１０９では、遅延加算信号が、パルスＩＤ閾値と比較され、遅延加算信号が、パルスＩＤ閾値より大きい場合、Ｓ１１１１で、計数器が停止される。一方、遅延加算信号がパルスＩＤ閾値より小さい場合、処理は、ステップＳ１１０３に戻る。
【００５４】
ステップＳ１１１３では、イベントの位置が、計算される。
【００５５】
ステップＳ１１１５では、イベントのタイミングおよびエネルギーが決定される。
【００５６】
図１２は、対消滅ガンマ線を検出するための本技術的進歩に合わせて使用できる例示ハードウェア構成を示す図である。図１２では、光電子増倍管１３５および１４０が、光導体１３０の上に配列され、シンチレータアレイ１０５が、光導体１３０の下に配列される。第２のシンチレータアレイ１２５は、シンチレータアレイ１０５に対向して配置され、その上に光導体１１５と光電子増倍管１９５および１１０とが配列される。
【００５７】
図１２では、対消滅ガンマ線が、テスト下の身体（不図示）から放射された場合に、対消滅ガンマ線は、互いからほぼ１８０°の反対方向に進む。対消滅ガンマ線検出が、シンチレータ１００および１２０において同時に起こる。対消滅ガンマ線が、所定の制限時間内にシンチレータ１００および１２０において検出された場合に、シンチレーションイベントは決定される。このように、対消滅ガンマ線タイミング検出システムは、対消滅ガンマ線をシンチレータ１００および１２０において同時に検出する。しかし、単に話を簡単にするために、対消滅ガンマ線検出をシンチレータ１００に対して記述する。しかし、当業者には自明であるが、本明細書においてシンチレータ１００に対して与えられる説明は、シンチレータ１２０における対消滅ガンマ線検出にも同様に適用できる。
【００５８】
各光電子増倍管１１０、１３５、１４０、および１９５は、データ取得ユニット１５０にそれぞれ接続されている。データ取得ユニット１５０は、光電子増倍管からの信号を処理するように構成されたハードウェアを含む。データ取得ユニット１５０は、対消滅ガンマ線の到達時間を測定する。データ取得ユニット１５０は、２つの出力を生成する（ＰＭＴ１３５／１４０の組み合わせに対する出力、およびＰＭＴ１１０／１９５の組み合わせに対する出力）。これらの出力は、システムクロック（不図示）に対して弁別器パルスの時間を符号化する。飛行時間ＰＥＴシステムの場合、データ取得ユニット１５０は、一般的に１５〜２５ｐｓの精度でタイムスタンプを生成する。データ取得ユニットは、ＰＭＴごとの信号（データ取得ユニット１５０からの出力のうちの４つ）の振幅を測定する。
【００５９】
データ取得ユニットの出力は、ＣＰＵ（Ｃｅｎｔｒａｌ  Ｐｒｏｃｅｓｓｉｎｇ  Ｕｎｉｔ：中央処理装置）１７０に供給され処理される。処理工程には、データ処理ユニット出力からのエネルギーおよび位置と、各イベントに対するタイムスタンプ出力からの到着時間との推定工程が含まれる。処理工程は、エネルギー、位置、および時間の推定の精度を改善するために、以前の較正に基づく多くの訂正ステップの適用業務を含んでもよい。当業者には自明であるが、ＣＰＵ１７０は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、フィールドプログラム可能ゲートアレイ（Ｆｉｅｌｄ  Ｐｒｏｇｒａｍｍａｂｌｅ  Ｇａｔｅ  Ａｒｒａｙ：ＦＰＧＡ）、または他の結合プログラム可能論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）のような個別論理ゲートとして実装できる。ＦＰＧＡまたはＣＰＬＤの実装は、ＶＨＤＬ（ＶＨＳＩＣ（Ｖｅｒｙ  Ｈｉｇｈ  Ｓｐｅｅｄ  Ｉｎｔｅｇｒａｔｅｄ  Ｃｉｒｃｕｉｔ）  Ｈａｒｄｗａｒｅ  Ｄｅｓｃｒｉｐｔｉｏｎ  Ｌａｎｇｕａｇｅ：超高速集積回路ハードウェア記述言語）、Ｖｅｒｉｌｏｇ（ヴェリログ）、または他の任意のハードウェア記述言語でコード化されるとよい。コードは、直接、ＦＰＧＡまたはＣＰＬＤ内に、または、個別の電子メモリとして電子メモリに格納されるとよい。さらに、電子メモリは、ＲＯＭ（Ｒｅａｄ  Ｏｎｌｙ  Ｍｅｍｏｒｙ：読み出し専用メモリ）、ＥＰＲＯＭ（Ｅｌｅｃｔｒｉｃａｌｌｙ  Ｐｒｏｇｒａｍｍａｂｌｅ  Ｒｅａｄ  Ｏｎｌｙ  Ｍｅｍｏｒｙ：電気的プログラム可能読み取り専用メモリ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ：電気的消去書込み可能読み出し専用メモリ）またはフラッシュ（ＦＬＡＳＨ）メモリなどの不揮発性であるとよい。電子メモリはまた、静的または動的のＲＡＭなどの揮発性であってもよい。マイクロコントローラまたはマイクロプロセッサーなどの処理装置は、電子メモリ、ならびに、ＦＰＧＡまたはＣＰＬＤと電子メモリとの間の相互作用を管理するために設けられるとよい。
【００６０】
あるいは、ＣＰＵ１７０は、上記の電子メモリのうちのいずれかと、ハードディスクドライブ、ＣＤ（Ｃｏｍｐａｃｔ  Ｄｉｓｃ：コンパクトディスク）、ＤＶＤ（Ｄｉｇｉｔａｌ  Ｖｅｒｓａｔｉｌｅ  Ｄｉｓｃ：デジタル多用途ディスク）、フラッシュ（ＦＬＡＳＨ）ドライブまたは任意の他の既知の格納媒体との両方または一方に格納される一組のコンピュータ可読指令として実装されてもよい。さらに、コンピュータ可読指令は、米国のＩｎｔｅｌ（インテル）社からのＸｅｏｎ（ジオン）プロセッサまたは米国のＡＭＤ（Ａｄｖａｎｃｅｄ  Ｍｉｃｒｏ  Ｄｅｖｉｃｅｓ：アドバンストマイクロデバイシーズ）社からのＯｐｔｅｒｏｎ（オプテロン）プロセッサ、およびマイクロソフトＶＩＳＴＡ、ＵＮＩＸ（登録商標）、Ｓｏｌａｒｉｓ、ＬＩＮＵＸ（登録商標）、Ａｐｐｌｅ、ＭＡＣ−ＯＳなどのオペレーティングシステム、および当業者には周知の他のオペレーティングシステムなどの処理装置とともに実行するユーティリティアプリケーション、バックグラウンドデーモン、またはオペレーティングシステムの構成要素、またはそれらの組み合わせとして提供されるとよい。
【００６１】
一旦、ＣＰＵ１７０で処理されると、処理された信号は、電子格納部１８０への格納、および表示部１４５での表示の両方または一方が行われる。当業者には自明であるが、電子格納部１８０は、ハードディスクドライブ、ＣＤ−ＲＯＭドライブ、ＤＶＤドライブ、フラッシュドライブ、ＲＡＭ、ＲＯＭ、または技術的に周知の任意の他の電子格納部であるとよい。表示部１４５は、ＬＣＤ（Ｌｉｑｕｉｄ  Ｃｒｙｓｔａｌ  Ｄｉｓｐｌａｙ：液晶表示）表示装置、ＣＲＴ（Ｃａｔｈｏｄｅ  Ｒａｙ  Ｔｕｂｅ：ブラウン管）表示装置、プラズマ表示装置、ＯＬＥＤ（Ｏｒｇａｎｉｃ  Ｌｉｇｈｔ  Ｅｍｉｔｔｉｎｇ  Ｄｉｓｐｌａｙ：有機発光表示装置）、ＬＥＤ（Ｌｉｇｈｔ  Ｅｍｉｔｔｉｎｇ  Ｄｉｓｐｌａｙ：発光表示装置）、または技術的に周知の任意の他の表示装置として実装されるとよい。そのため、本明細書に記載の電子格納部１８０および表示部１４５の説明は、単なる例であり、本進歩の範囲を決して限定するものではない。
【００６２】
図１２はまた、対消滅ガンマ線検出システムが、他の外部デバイスおよびユーザーの両方または一方とインターフェースするためのインターフェース１７５も含む。例えば、インターフェース１７５は、ＵＳＢ（Ｕｎｉｖｅｒｓａｌ  Ｓｅｒｉａｌ  Ｂｕｓ：ユニバーサルシリアルバス）インターフェース、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ：ＰＣメモリカード国際協会）インターフェース、イーサネット（登録商標）インターフェース、または技術的に周知の任意の他のインターフェースであるとよい。インターフェース１７５はまた、有線または無線であってもよく、ユーザーとインターフェースするために、キーボードおよびマウスの両方または一方、または技術的に周知の他のヒューマンインターフェイスデバイスを含んでもよい。
【００６３】
上記の説明において、フロー図内のあらゆる処理、説明、またはブロックは、特定の論理的機能、または処理におけるステップを実行するための１つまたは複数の実行可能な指令を含むモジュール、部分、または符号の一部を表すものとして理解されなければならない。他の実施例は、当業者には明らかなように、機能が、例示あるいは検討された順序とは異なる順序で実行され、関連する機能によっては、実質的に並行して、または、逆の順序を含むことも可能である本進歩の例示実施形態の範囲内に含まれる。
【００６４】
特定の実施形態を記載してきたが、これらの実施形態は、単なる例として提示したのであって、本発明の範囲を限定するものではない。実際、本明細書に記載の新規の方法、装置、およびシステムは、さまざまな別の形式で具体化が可能である。さらにまた、本明細書に記載の方法、装置、およびシステムの形式においてさまざまな省略、置換、および変更は、本発明の精神を逸脱することなく行うことが可能である。添付の特許請求の範囲およびそれらの同等物は、本発明の範囲および精神の範囲内に収まるであろう形式または改変を網羅するものである。
【符号の説明】
【００６５】
１００、１２０  シンチレータ
１０５、１２５  シンチレータアレイ
１１０、１３５、１４０、１９５  光電子増倍管
１１５、１３０  光導体
１４５  表示部
１５０  データ取得ユニット
１７０  ＣＰＵ
１７５  インターフェース
１８０  電子格納部
３０１  センサー
３０３  加算回路
３０５  遅延要素
５０１  前置増幅器および整形回路
５０５  コンパレータ
５０９  高速計数器
【図１】
2014021123.tif 000006
【図２】
2014021123.tif 000007
【図３】
2014021123.tif 000008
【図４Ａ】
2014021123.tif 000009
【図４Ｂ】
2014021123.tif 000010
【図５】
2014021123.tif 000011
【図６】
2014021123.tif 000012
【図７】
2014021123.tif 000013
【図８Ａ】
2014021123.tif 000014
【図８Ｂ】
2014021123.tif 000015
【図９】
2014021123.tif 000016
【図１０Ａ】
2014021123.tif 000017
【図１０Ｂ】
2014021123.tif 000018
【図１０Ｃ】
2014021123.tif 000019
【図１０Ｄ】
2014021123.tif 000020
【図１１】
2014021123.tif 000021
【図１２】
2014021123.tif 000022